(57)【要約】  実施形態に係るユーザ端末は、アンライセンスド帯域のセカンダリセルにおける所定の無線信号を用いて測定を実行する制御部を備える。前記制御部は、前記所定の無線信号から特定情報が検出されない場合に、前記所定の無線信号を測定の報告対象から除外する。
2016129616.tif 000002
【特許請求の範囲】
【請求項１】
ユーザ端末であって、
アンライセンスド帯域のセカンダリセルにおける所定の無線信号を用いて測定を実行する制御部を備え、
前記制御部は、前記所定の無線信号から特定情報が検出されない場合に、前記所定の無線信号を測定の報告対象から除外することを特徴とするユーザ端末。
【請求項２】
前記特定情報は、スクランブルされた情報である請求項１に記載のユーザ端末。
【請求項３】
前記特定情報は、ＣＲＣ（Ｃｙｃｌｉｃ  Ｒｅｄｕｎｄａｎｃｙ  Ｃｈｅｃｋ）符号が付与された情報である請求項１に記載のユーザ端末。
【請求項４】
ユーザ端末であって、
アンライセンスド帯域のセカンダリセルにおいて所定の無線信号を受信する制御を実行する制御部を備え、
前記制御部は、前記所定の無線信号から特定情報が検出されるか否かに基づいて、前記所定の無線信号が参照信号であるか否かを判定することを特徴とするユーザ端末。
【請求項５】
前記参照信号は、チャネル状況を測定するために用いられる請求項４に記載のユーザ端末。
【請求項６】
前記制御部は、
前記アンライセンスド帯域における無線信号に対する測定を行い、
前記無線信号に対する測定結果を前記基地局へ報告し、
前記特定情報が前記所定の無線信号から検出されるか否かに基づいて、前記所定の無線信号に対する測定結果を前記測定結果の報告から除外することを特徴とする請求項４に記載のユーザ端末。
【請求項７】
前記特定情報は、前記基地局に関連する識別子に基づく情報であり、
前記制御部は、前記特定情報を前記所定の無線信号から検出した場合には、前記所定の無線信号に対する測定結果を前記測定結果の報告へ含めることを特徴とする請求項４に記載のユーザ端末。
【請求項８】
前記参照信号に含まれる情報をライセンスド帯域において前記基地局から受信する受信部をさらに備え、
前記制御部は、前記基地局から受信した前記参照信号に含まれる情報が、前記所定の無線信号から検出した前記特定情報と対応する場合に、前記所定の無線信号に対する測定結果を前記測定結果の報告へ含めることを特徴とする請求項４に記載のユーザ端末。
【請求項９】
前記特定情報には、誤り検出符号が付与されており、
前記制御部は、前記誤り検出符号に基づいて、前記特定情報から誤りが検出されない場合に、前記所定の無線信号に対する測定結果を前記測定結果の報告へ含めることを特徴とする請求項４に記載のユーザ端末。
【請求項１０】
基地局であって、
アンライセンスド帯域のセカンダリセルにおいて、特定情報を含む所定の無線信号をユーザ端末へ送信する制御部を備え、
前記特定情報は、前記ユーザ端末が前記所定の無線信号が参照信号か否かを判定するために用いられる基地局。
【請求項１１】
ユーザ端末であって、
アンライセンスド帯域において基地局から送信される参照信号に対する測定を行い、当該参照信号に対する測定結果を報告する制御部を備え、
前記参照信号には、前記基地局との同期に用いられる同期情報が格納されるフィールドとは異なるフィールドに所定メッセージが格納され、
前記制御部は、前記所定メッセージを前記測定結果と関連付けて、前記測定結果を報告することを特徴とするユーザ端末。
【請求項１２】
基地局であって、
アンライセンスド帯域における干渉電力を測定する制御部と、
前記干渉電力の測定結果に基づいて、前記アンライセンスド帯域において参照信号を送信する送信部と、
前記参照信号に対する測定結果の報告をユーザ端末から受信する受信部と、を備え、
前記参照信号には、前記ユーザ端末が前記基地局との同期に用いる同期情報が格納されるフィールドとは異なるフィールドに所定メッセージが格納され、
前記制御部は、前記ユーザ端末から受信した前記測定結果が、前記参照信号に含まれる前記所定メッセージに関連付けられていない場合、当該測定結果を除外することを特徴とする基地局。
【発明の詳細な説明】
【技術分野】
【０００１】
本出願は、ライセンスド帯域及びアンライセンスド帯域において通信可能なユーザ端末及び当該ユーザ端末と通信可能な基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。【０００３】
また、急増するトラフィック需要に応えるために、免許を要する周波数帯域（ライセンスド帯域）を用いた通信だけでなく、免許不要な周波数帯域（アンライセンスド帯域（Ｕｎｌｉｃｅｎｓｅｄ  Ｂａｎｄ／Ｕｎｌｉｃｅｎｓｅｄ  Ｓｐｅｃｔｒｕｍ））を用いた通信が注目されている。【０００４】
ここで、法律（例えば、日本における電波法）上、アンライセンスド帯域を用いて無線信号を送信する場合、無線信号を送信する前にＣＣＡ（Ｃｌｅａｒ  ｃｈａｎｎｅｌ  Ａｓｓｅｓｓｍｅｎｔ）を実行することが要求されている。具体的には、基地局は、アンライセンスド帯域における干渉電力を測定する。測定結果が良好な場合（具体的には、干渉電力が低い場合）、アンライセンスド帯域において無線信号を送信できる。
【先行技術文献】
【非特許文献】
【０００５】
【非特許文献１】３ＧＰＰ技術仕様書「ＴＳ３６．３００  Ｖ１２．４．０」  ２０１５年１月７日
【発明の概要】
【０００６】
一の実施形態に係るユーザ端末は、アンライセンスド帯域のセカンダリセルにおける所定の無線信号を用いて測定を実行する制御部を備える。前記制御部は、前記所定の無線信号から特定情報が検出されない場合に、前記所定の無線信号を測定の報告対象から除外する。
【０００７】
一の実施形態に係るユーザ端末は、アンライセンスド帯域のセカンダリセルにおいて所定の無線信号を受信する制御を実行する制御部を備える。前記制御部は、前記所定の無線信号から特定情報が検出されるか否かに基づいて、前記所定の無線信号が参照信号であるか否かを判定する。
【０００８】
一の実施形態に係る基地局は、アンライセンスド帯域のセカンダリセルにおいて、特定情報を含む所定の無線信号をユーザ端末へ送信する制御部を備える。前記特定情報は、前記ユーザ端末が前記所定の無線信号が参照信号か否かを判定するために用いられる。
【０００９】
一の実施形態に係るユーザ端末は、前記アンライセンスド帯域において基地局から送信される参照信号に対する測定を行い、当該参照信号に対する測定結果を報告する制御部を備える。前記参照信号には、前記基地局との同期に用いられる同期情報が格納されるフィールドとは異なるフィールドに所定メッセージが格納される。前記制御部は、前記所定の無線信号から検出された所定メッセージを前記測定結果と関連付けて、前記測定結果を報告する。
【００１０】
一の実施形態に係る基地局は、アンライセンスド帯域における干渉電力を測定する制御部と、前記干渉電力の測定結果に基づいて、前記アンライセンスド帯域において参照信号を送信する送信部と、前記参照信号に対する測定結果の報告をユーザ端末から受信する受信部と、を備える。前記参照信号には、前記ユーザ端末が前記基地局との同期に用いる同期情報が格納されるフィールドとは異なるフィールドに所定メッセージが格納される。前記制御部は、前記ユーザ端末から受信した前記測定結果が、前記参照信号に含まれる前記所定メッセージに関連付けられていない場合、当該測定結果を除外する。
【図面の簡単な説明】
【００１１】
【図１】図１は、各実施形態に係るＬＴＥシステムの構成図である。
【図２】図２は、各実施形態に係るＵＥのブロック図である。
【図３】図３は、各実施形態に係るｅＮＢのブロック図である。
【図４】図４は、各実施形態に係るプロトコルスタック図である。
【図５】図５は、各実施形態に係る無線フレームの構成図である。
【図６】図６は、第１実施形態に係る動作を説明するための図である。
【図７】図７は、第２実施形態に係る動作を説明するための図である。
【図８】図８は、第３実施形態に係る動作を説明するための図である。
【図９】図９は、第４実施形態に係る動作を説明するための図である。
【図１０】図１０は、第４実施形態の変更例に係る動作を説明するための図である。
【図１１】図１１は、第５実施形態に係る動作を説明するための図である。
【発明を実施するための形態】
【００１２】
［実施形態の概要］
ここで、ユーザ端末が、アンライセンスド帯域において基地局から送信された参照信号に対する測定を行うことを想定する。ユーザ端末が当該測定結果を基地局に報告することによって、基地局は、アンライセンスド帯域において当該ユーザ端末との通信の可否又は通信品質の測定を行うことができる。
【００１３】
しかしながら、基地局は、干渉電力の測定結果が悪い場合には、参照信号を送信できない。このため、ユーザ端末は、参照信号の送信予定タイミングを知っていたとしても、参照信号が送信されていないのか、参照信号が送信されたが干渉により参照信号を受信できなかったのか判定できない。その結果、参照信号に対する適切な測定結果を取得できない虞がある。
【００１４】
第５実施形態に係るユーザ端末は、アンライセンスド帯域のセカンダリセルにおける所定の無線信号を用いて測定を実行する制御部を備える。前記制御部は、前記所定の無線信号から特定情報が検出されない場合に、前記所定の無線信号を測定の報告対象から除外する。
【００１５】
前記特定情報は、スクランブルされた情報であってもよい。
【００１６】
前記特定情報は、ＣＲＣ（Ｃｙｃｌｉｃ  Ｒｅｄｕｎｄａｎｃｙ  Ｃｈｅｃｋ）符号が付与された情報であってもよい。
【００１７】
第５実施形態に係るユーザ端末は、アンライセンスド帯域のセカンダリセルにおいて所定の無線信号を受信する制御を実行する制御部を備える。前記制御部は、前記所定の無線信号から特定情報が検出されるか否かに基づいて、前記所定の無線信号が参照信号であるか否かを判定する。
【００１８】
前記参照信号は、チャネル状況を測定するために用いられてもよい。
【００１９】
前記制御部は、前記アンライセンスド帯域における無線信号に対する測定を行ってもよい。前記制御部は、前記無線信号に対する測定結果を前記基地局へ報告してもよい。前記制御部は、前記特定情報が前記所定の無線信号から検出されるか否かに基づいて、前記所定の無線信号に対する測定結果を前記測定結果の報告から除外してもよい。
【００２０】
前記特定情報は、前記基地局に関連する識別子に基づく情報であってもよい。前記制御部は、前記特定情報を前記所定の無線信号から検出した場合には、前記所定の無線信号に対する測定結果を前記測定結果の報告へ含めてもよい。
【００２１】
第５実施形態に係るユーザ端末は、前記参照信号に含まれる情報をライセンスド帯域において前記基地局から受信する受信部をさらに備えてもよい。前記制御部は、前記基地局から受信した前記参照信号に含まれる情報が、前記所定の無線信号から検出した前記特定情報と対応する場合に、前記所定の無線信号に対する測定結果を前記測定結果の報告へ含めてもよい。
【００２２】
前記特定情報には、誤り検出符号が付与されてもよい。前記制御部は、前記誤り検出符号に基づいて、前記特定情報から誤りが検出されない場合に、前記所定の無線信号に対する測定結果を前記測定結果の報告へ含めてもよい。
【００２３】
第５及び第６実施形態に係る基地局は、アンライセンスド帯域のセカンダリセルにおいて、特定情報を含む所定の無線信号をユーザ端末へ送信する制御部を備える。前記特定情報は、前記ユーザ端末が前記所定の無線信号が参照信号か否かを判定するために用いられる。
【００２４】
第６実施形態に係るユーザ端末は、アンライセンスド帯域において基地局から送信される参照信号に対する測定を行い、当該参照信号に対する測定結果を報告する制御部を備える。前記参照信号には、前記基地局との同期に用いられる同期情報が格納されるフィールドとは異なるフィールドに所定メッセージが格納される。前記制御部は、前記所定の無線信号から検出された所定メッセージを前記測定結果と関連付けて、前記測定結果を報告する。
【００２５】
第６実施形態に係る基地局は、アンライセンスド帯域における干渉電力を測定する制御部と、前記干渉電力の測定結果に基づいて、前記アンライセンスド帯域において参照信号を送信する送信部と、前記参照信号に対する測定結果の報告をユーザ端末から受信する受信部と、を備える。前記参照信号には、前記ユーザ端末が前記基地局との同期に用いる同期情報が格納されるフィールドとは異なるフィールドに所定メッセージが格納される。前記制御部は、前記ユーザ端末から受信した前記測定結果が、前記参照信号に含まれる前記所定メッセージに関連付けられていない場合、当該測定結果を除外する。
【００２６】
［第１実施形態］
以下において、本出願の開示をＬＴＥシステムに適用する場合の実施形態を説明する。
【００２７】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２８】
ＵＥ１００は、ユーザ端末に相当する。ＵＥ１００は、移動型の通信装置であり、接続先のセル（サービングセル）との無線通信を行う。ＵＥ１００の構成については後述する。
【００２９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３０】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３１】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＥＰＣ２０は、ＯＡＭ（Ｏｐｅｒａｔｉｏｎ  ａｎｄ  Ｍａｉｎｔｅｎａｎｃｅ）を含んでもよい。
【００３２】
ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３３】
ＯＡＭは、オペレータによって管理されるサーバ装置であり、Ｅ−ＵＴＲＡＮ１０の保守及び監視を行う。
【００３４】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。ＵＥ１００は、ＧＮＳＳ受信機１３０を有していなくてもよい。また、メモリ１５０をプロセッサ１６０と一体化し、このセット（すなわち、チップセット）を制御部を構成するプロセッサ１６０’としてもよい。
【００３５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３６】
無線送受信機１１０は、無線送受信機１１０Ａ及び無線送受信機１１０Ｂを有する。無線送受信１１０Ａは、ライセンスド帯域において無線信号を送受信し、無線送受信１１０Ｂは、アンライセンスド帯域において無線信号を送受信する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給する電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、制御部に相当し、後述する各種の処理及び各種の通信プロトコルを実行する。
【００３９】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を制御部を構成するプロセッサ２４０’としてもよい。
【００４０】
アンテナ２０１及び無線送受信機２１０は、無線信号の送受信に用いられる。無線送受信機２１０は、ライセンスド帯域において無線信号を送受信する。或いは、無線送受信機２１０は、ライセンスド帯域だけでなくアンライセンスド帯域において無線信号を送受信できてもよい。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、制御部に相当し、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４５】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４７】
ＰＤＣＰ層は、ヘッダ圧縮・伸張、及び暗号化・復号化を行う。
【００４８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５２】
（アンライセンスド帯域を利用した通信）
以下において、本実施形態に係るアンライセンスド帯域を利用した通信について説明する。
【００５３】
ＵＥ１００は、セルラネットワークオペレータに免許が付与されたライセンスド帯域（Ｌｉｃｅｎｓｅｄ  ｂａｎｄ／Ｌｉｃｅｎｓｅｄ  ｓｐｅｃｔｒｕｍ）だけでなく、免許不要で利用できるアンライセンスド帯域（Ｕｎｌｉｃｅｎｓｅｄ  Ｂａｎｄ／Ｕｎｌｉｃｅｎｓｅｄ  ｓｐｅｃｔｒｕｍ）を利用した通信を行うことができる。
【００５４】
具体的には、第１に、ＵＥ１００は、キャリアアグリゲーション（Ｃａｒｒｉｅｒ  Ａｇｇｒｅｇａｔｉｏｎ：ＣＡ）によって、アンライセンスド帯域を利用した通信を行うことができる。
【００５５】
ＣＡでは、ＬＴＥとの後方互換性を確保しながら広帯域化を実現すべく、ＬＴＥにおけるキャリア（周波数帯）をコンポーネントキャリアと位置付け、ＵＥ１００が複数のコンポーネントキャリア（複数のサービングセル）を同時に使用して通信を行う。ＣＡにおいて、ＵＥがＲＲＣ接続を開始する際に所定の情報の提供を行うセルはプライマリセル（ＰＣｅｌｌ）と称される。例えば、プライマリセルは、ＲＲＣ接続確立／再確立／ハンドオーバ時にＮＡＳモビリティ情報（例えば、ＴＡＩ）の提供を行ったり、ＲＲＣ接続再確立／ハンドオーバ時にセキュリティ情報の提供を行ったりする。一方、プライマリセルと対をなす補助的なサービングセルはセカンダリセル（ＳＣｅｌｌ）と称される。セカンダリセルは、プライマリセルと一緒に形成される。
【００５６】
アンライセンスド帯域を利用した通信にＣＡを利用する場合、アンライセンスド帯域内の所定周波数（キャリア）をセカンダリセルとして利用するケースがある。以下において、所定周波数をセカンダリセルとして利用する場合、当該セカンダリセルは、Ｕ−ＳＣｅｌｌと称される。
【００５７】
第２に、ＵＥ１００は、二重接続方式（Ｄｕａｌ  Ｃｏｎｎｅｃｔｉｖｉｔｙ：ＤＣ）によって、アンライセンスド帯域を利用した通信を行うことができる。
【００５８】
ＤＣでは、ＵＥ１００には、複数のｅＮＢ２００から無線リソースが割り当てられる。ＤＣは、ｅＮＢ間キャリアアグリゲーション（ｉｎｔｅｒ−ｅＮＢ  ＣＡ）と称されることもある。
【００５９】
ＤＣでは、ＵＥ１００との接続を確立する複数のｅＮＢ２００のうち、マスタｅＮＢ（ＭｅＮＢ）のみが当該ＵＥ１００とのＲＲＣ接続を確立する。これに対し、当該複数のｅＮＢ２００のうちセカンダリｅＮＢ（ＳｅＮＢ）は、ＲＲＣ接続をＵＥ１００と確立せずに、追加的な無線リソースをＵＥ１００に提供する。ＭｅＮＢとＳｅＮＢとの間にはＸｎインターフェイスが設定される。Ｘｎインターフェイスは、Ｘ２インターフェイス又は新たなインターフェイスである。
【００６０】
ＤＣでは、ＵＥ１００は、ＭｅＮＢが管理するＮ個のセル及びＳｅＮＢが管理するＭ個のセルを同時に利用したキャリアアグリゲーションが可能である。また、ＭｅＮＢが管理するＮ個のセルからなるグループは、マスタセルグループ（ＭＣＧ）と称される。また、ＳｅＮＢが管理するＭ個のセルからなるグループは、セカンダリセルグループ（ＳＣＧ）と称される。また、ＳｅＮＢが管理するセルのうち、少なくとも上りリンクの制御信号（ＰＵＣＣＨ）の受信機能を持つセルは、ＰＳＣｅｌｌと称される。ＰＳＣｅｌｌは、ＰＣｅｌｌと同様のいくつかの機能を有するが、例えば、ＵＥ１００とＲＲＣ接続を行わず、ＲＲＣメッセージを送信しない。なお、アンライセンスド帯域における所定周波数（キャリア）がＳＣｅｌｌとして利用される場合には、当該ＳＣｅｌｌは、Ｕ−ＳＣｅｌｌと称され、ＰＳＣｅｌｌとして利用される場合には、当該ＳＣｅｌｌは、Ｕ−ＰＳＣｅｌｌと称される。
【００６１】
ここで、アンライセンスド帯域を利用した通信の一形態として、ＬＡＡ（ＬＡＡ：Ｌｉｃｅｎｓｅｄ−Ａｓｓｉｔｅｄ  Ａｃｃｅｓｓ）を利用することが想定される。ＬＡＡでは、ＵＥ１００は、ライセンスド帯域で運用されるセル（以下、ライセンスドセル）とアンライセンスド帯域で運用されるセル（以下、アンライセンスドセル）と通信を行う。ライセンスドセルは、ＰＣｅｌｌとして使用され、アンライセンスドセルは、ＳＣｅｌｌ（又はＰＳＣｅｌｌ）として使用されてもよい。ＵＥ１００がライセンスドセル及びアンライセンスドセルと通信を行う場合、当該ライセンスドセル及び当該アンライセンスドセルは、１つのノード（例えば、ｅＮＢ２００）によって管理されていてもよい。なお、当該ライセンスドセル及び当該アンライセンスドセルは、１つのｅＮＢ２００によって管理（制御）されている場合、アンライセンスドセル（及びライセンスドセル）は、無線送受信機を有するＲＲＨ（Ｒｅｍｏｔｅ  Ｒａｄｉｏ  Ｈｅａｄ）によって形成されてもよい。或いは、ライセンスセルは、ｅＮＢ２００に管理され、アンライセンスドセルは、当該ｅＮＢ２００とは異なる無線通信装置に管理されていてもよい。ｅＮＢ２００と当該無線通信装置とは、所定のインターフェイス（Ｘ２インターフェイス又はＳ１インターフェイス）を介して後述する各種情報のやり取りを行うことができる。ライセンスセルを管理するｅＮＢ２００は、ＵＥ１００から取得した情報を無線通信装置に通知してもよいし、無線通信装置から取得した情報をＵＥ１００に通知してもよい。
【００６２】
アンライセンスド帯域においては、ＬＴＥシステムとは異なるシステム（無線ＬＡＮ等）又は他のオペレータのＬＴＥシステムとの干渉を回避するために、無線信号を送信する前にＣＣＡ（Ｃｌｅａｒ  ｃｈａｎｎｅｌ  Ａｓｓｅｓｓｍｅｎｔ）を実行すること（いわゆる、ＬＢＴ（Ｌｉｓｔｅｎ  Ｂｅｆｏｒｅ  Ｔａｌｋ））が要求されている。具体的には、ＣＣＡでは、ｅＮＢ２００は、アンライセンスド帯域内の周波数（キャリア）が空いているか否かを確認するために、干渉電力を測定する。ｅＮＢ２００は、干渉電力の測定結果に基づいて、空きチャネルであることが確認された周波数（キャリア）に含まれる無線リソースをＵＥ１００に割り当てる（スケジューリング）。ｅＮＢ２００は、アンライセンスドセルを介して、アンライセンスドセルにおけるスケジューリングを行う。或いは、ｅＮＢ２００は、ライセンスドセルを介して、アンライセンスドセルにおけるスケジューリングを行ってもよい（すなわち、クロスキャリアスケジューリング）。
【００６３】
以下において、ｅＮＢ２００による動作を、ｅＮＢ２００が管理するセルによる動作として適宜説明する。また、以下において、１つのｅＮＢ２００がライセンスド帯域における周波数（ライセンスドセル）及びアンライセンスド帯域における周波数（アンライセンスドセル）によってＵＥ１００と通信を行うケースを中心に説明するが、これに限られないことに留意すべきである。
【００６４】
（第１実施形態に係る動作）
次に、第１実施形態に係る動作について、図６を用いて説明する。図６は、第１実施形態に係る動作を説明するための図である。
【００６５】
図６において、ＵＥ１００は、ｅＮＢ２００が管理するＰＣｅｌｌ（ライセンスドセル）に在圏している。ＵＥ１００は、ＲＲＣアイドル状態であってもよいし、ＲＲＣコネクティッド状態であってもよい。図６の初期状態において、ＵＥ１００は、ｅＮＢ２００が管理するＵ−ＳＣｅｌｌ（アンライセンスドセル）との通信を開始していない。或いは、ＵＥ１００は、Ｕ−ＳＣｅｌとの通信を行っていてもよい。
【００６６】
図６に示すように、ステップＳ１０１において、ＰＣｅｌｌ（ｅＮＢ２００）は、信号系列情報を送信する。信号系列情報は、共通信号（例えば、ＳＩＢ、ＰＤＣＣＨ）によって送信されてもよいし、個別信号（例えば、ＰＤＳＣＨ）によって送信されてもよい。ＵＥ１００は、受信した信号系列情報をメモリ１５０に記憶する。
【００６７】
信号系列情報は、Ｕ−ＳＣｅｌｌ（ｅＮＢ２００）から送信される参照信号に関する信号系列を特定するための情報である。参照信号は、例えば、発見参照信号（ＤＲＳ：Ｄｉｓｃｏｖｅｒｙ  Ｒｅｆｅｒｅｎｃｅ  ｓｉｇｎａｌ）である。ＤＲＳは、同期信号（プライマリ同期信号（ＰＳＳ）及び／又はセカンダリ同期信号（ＳＳＳ））、セル参照信号、チャネル状態情報参照信号（ＣＳＩ−ＲＳ）、下りリンクにおける復調参照信号（ＤＬ−ＤＭＲＳ）の少なくともいずれかの信号を含む。従って、ＤＲＳは、セルの識別、同期、チャネル状況の観測の少なくともいずれかに用いられる。
【００６８】
また、信号系列情報は、サブフレーム番号、セル識別子（Ｃｅｌｌ  ＩＤ）、ＣＳＩ識別子（ＣＳＩ  ＩＤ）などである。ＵＥ１００は、信号系列情報に基づいて、Ｕ−ＳＣｅｌｌから送信される参照信号の信号系列を算出する。
【００６９】
ステップＳ１０２において、Ｕ−ＳＣｅｌｌ（ｅＮＢ２００）は、参照信号（ＤＲＳ）を送信する。参照信号は、Ｕ−ＳＣｅｌｌが運用される特定周波数（キャリア）を用いて送信される。ここで、ｅＮＢ２００は、参照信号が送信される前に、特定周波数において干渉電力の測定を行う。
【００７０】
なお、ｅＮＢ２００は、参照信号を周期的に（例えば、Ｘｍｓ間隔で）送信するように設定されている。しかしながら、ｅＮＢ２００は、アンライセンスド帯域内の所定周波数における干渉電力を測定した結果、干渉電力が閾値を超えていた場合（干渉を検知した場合）、無線信号の送信を中止する。従って、ｅＮＢ２００が無線信号を設定通りに送信できない期間が存在し得る。
【００７１】
以下において、干渉電力が閾値未満であると仮定して説明を進める。
【００７２】
ＵＥ１００は、アンライセンスド帯域における無線信号に対する測定（Ｍｅａｓｕｒｅｍｅｎｔ）を行う。ＵＥ１００は、ＰＣｅｌｌからＤＲＳの送信タイミングに関する情報及び／又はＵ−ＳＣｅｌｌが運用される特定周波数を示す情報を受信し、当該情報に基づいて、測定を行ってもよい。
【００７３】
ここで、ＵＥ１００は、取得した測定結果がＤＲＳに対する測定結果であるかを確認する。まず、ＵＥ１００は、測定中に受信した無線信号の信号系列を算出し、この信号系列と信号系列情報に基づいて算出された信号系列との相関値を求める。次に、ＵＥ１００は、求められた相関値が閾値未満であるか否かを判定する。ＵＥ１００は、相関値が閾値未満である場合、測定中に受信した無線信号がＵ−ＳＣｅｌｌから送信された参照信号でないと判定する。この場合、ＵＥ１００は、測定したタイミングを参照信号が送信されていないタイミングとして特定する。一方、ＵＥ１００は、相関値が閾値以上である場合、受信した無線信号がＵ−ＳＣｅｌｌから送信された参照信号であると判定する。この場合、ＵＥ１００は、測定したタイミングを参照信号が送信されたタイミングとして特定する。なお、閾値は、ＵＥ１００が予め保持していてもよいし、ｅＮＢ２００から提供されてもよい。
【００７４】
ＵＥ１００は、測定したタイミングを参照信号が送信されていないタイミングとして特定した場合、測定結果を記憶しなくてもよい。これにより、参照信号が送信されていないタイミングに対応する測定結果を報告対象から除外することができる。或いは、ＵＥ１００は、無線信号に対する測定値と測定時間とを関連付けて記憶し、ＵＥ１００は、測定結果を報告する前に上記判定を行って、参照信号が送信されていないタイミングに対応する測定結果を報告対象から除外してもよい。
【００７５】
ステップＳ１０３において、ＵＥ１００は、アンライセンスド帯域における無線信号に対する測定結果をＰＣｅｌｌに送信する。測定結果は、受信レベル（ＲＳＲＰ／ＲＳＲＱ）に関する結果であってもよいし、チャネル状態に関する結果（具体的には、ＣＳＩ、ＰＭＩ、ＲＩなど）であってもよい。
【００７６】
ＵＥ１００は、参照信号が送信されていないタイミングに対応する測定結果を報告対象から除外しているため、測定結果は、参照信号が送信されていないタイミングで測定された測定結果を含まない。このため、ｅＮＢ２００（ＰＣｅｌｌ）は、測定結果に基づいて、アンライセンスド帯域においてＵＥ１００と通信に関して適切に判定できる。例えば、ｅＮＢ２００は、測定結果に基づいて、ＰＳＣｅｌｌと通信（接続）可能か否かを判定したり、ＰＳＣｅｌｌにおける通信品質を算出したりすることが可能となる。
【００７７】
［第２実施形態］
次に、第２実施形態に係る動作について、図７を用いて説明する。図７は、第２実施形態に係る動作を説明するための図である。上述した実施形態と同様の部分は、説明を適宜省略する。
【００７８】
第２実施形態では、ＵＥ１００は、ｅＮＢ２００から受信した情報に基づいて、参照信号が送信されていないタイミングに対応する測定結果を報告対象から除外する。
【００７９】
図７に示すように、ステップＳ２０１において、Ｕ−ＳＣｅｌｌ（ｅＮＢ２００）は、Ｕ−ＳＣｅｌｌが運用される特定周波数において干渉電力の測定（ＣＣＡ）を行う。ここでは、干渉電力が閾値未満であると仮定して説明を進める。
【００８０】
ステップＳ２０２において、Ｕ−ＳＣｅｌｌは、特定周波数においてＤＲＳを送信する。
【００８１】
ステップＳ２０３において、ＵＥ１００は、特定周波数において無線信号に対する測定を行う。ＵＥ１００は、測定結果（第１の測定結果）を記憶する。測定結果は、測定時間と関連づけて記憶される。
【００８２】
ステップＳ２０４において、Ｕ−ＳＣｅｌｌは、ステップＳ２０１におけるＣＣＡを行ってから所定時間経過した後、干渉電力の測定を行う。ここでは、干渉電力が閾値以上であると仮定して説明を進める。この場合、Ｕ−ＳＣｅｌｌは、ＤＲＳの送信を中止する。
【００８３】
ステップＳ２０５において、ＵＥ１００は、特定周波数において無線信号に対する測定を行い、測定結果（第２の測定結果）を記憶する。
【００８４】
ステップＳ２０６において、Ｕ−ＳＣｅｌｌは、ステップＳ２０４におけるＣＣＡを行ってから所定時間経過した後、干渉電力の測定を行う。ここでは、干渉電力が閾値未満であると仮定して説明を進める。
【００８５】
ステップＳ２０７において、Ｕ−ＳＣｅｌｌは、特定周波数においてＤＲＳを送信する。
【００８６】
ステップＳ２０８において、ＵＥ１００は、特定周波数において無線信号に対する測定を行い、測定結果（第３の測定結果）を記憶する。
【００８７】
ステップＳ２０９において、ＰＣｅｌｌは、参照信号が送信されたタイミングに関する送信情報（ｔｒａｎｓｍｉｓｓｉｏｎ  ｉｎｆｏｒｍａｔｉｏｎ）を送信する。ＵＥ１００は、送信情報を受信する。送信情報は、共通信号（例えば、ＳＩＢ、ＰＤＣＣＨ）によって送信されてもよいし、個別信号（例えば、ＰＤＳＣＨ）によって送信されてもよい。
【００８８】
送信情報は、参照信号が送信されたタイミングを示す情報であってもよいし、参照信号が送信されなかったタイミングを示す情報であってもよい。例えば、送信情報は、サブフレーム番号のリストであってもよい。また、送信情報は、参照信号が送信されなかったタイミングに対応する測定結果の削除を要求するメッセージに含まれていてもよい。
【００８９】
ｅＮＢ２００は、参照信号が送信されたタイミング及び参照信号が送信されなかったタイミングの少なくとも一方を記憶する。なお、参照信号が送信されなかったタイミングは、参照信号の送信が予定されたタイミングで、且つ、干渉電力の測定結果に基づいて、参照信号が送信できなかったタイミングであってもよい。
【００９０】
一方、ＵＥ１００は、送信情報に基づいて、参照信号が送信されていないタイミングを特定する。ＵＥ１００は、特定したタイミングに対応する測定結果を報告対象から除外する。本実施形態において、送信情報は、ステップＳ２０４の後の参照信号の送信が予定されたタイミングを示すと仮定する。ＵＥ１００は、送信情報によって示されるタイミングに対応する第２の測定結果を報告対象から除外する。
【００９１】
ＵＥ１００は、送信情報の受信をトリガとして、測定結果を報告対象から除外する動作を行ってもよいし、測定結果を報告するための動作を開始したことをトリガとして、測定結果を報告対象から除外する動作を行ってもよい。
【００９２】
ステップＳ２１０において、ＵＥ１００は、測定結果をＰＣｅｌｌに送信する。測定結果は、第１の測定結果及び第３の測定結果を含み、参照信号に対する測定結果でない第２の測定結果を含まない。これにより、ｅＮＢ２００は、適切な測定結果を取得できる。従って、ｅＮＢ２００は、測定結果に基づいて、アンライセンスド帯域における通信に関して適切に判定できる。
【００９３】
なお、本実施形態において、送信情報は、参照信号に関する複数のタイミングを示していたが、これに限られない。送信情報は、ＤＲＳが送信されなかった度にＵＥ１００に送信されてもよいし、ＤＲＳが送信される度にＵＥ１００に送信されてもよい。
【００９４】
［第３実施形態］
次に、第３実施形態に係る動作について、図８を用いて説明する。図８は、第３実施形態に係る動作を説明するための図である。上述した各実施形態と同様の部分は、説明を適宜省略する。
【００９５】
第３実施形態では、ＵＥ１００は、干渉電力の測定結果に基づいて、参照信号が送信されていないタイミングに対応する測定結果を報告対象から除外する。
【００９６】
図８（Ａ）に示すように、ＵＥ１００の近傍には、第１の無線通信装置（ＷＴ４００−１）が存在し、ｅＮＢ２００の近傍には、第２の無線通信装置（ＷＴ４００−２）が存在する。ＷＴ４００−１及びＷＴ４００−２は、アンライセンスド帯域における特定周波数において無線信号を送信する（図８（Ｂ）参照）。
【００９７】
また、ｅＮＢ２００は、参照信号の送信予定タイミングに関する設定情報を送信する。ＵＥ１００は、参照信号の送信予定タイミングに関する設定情報を受信する。設定情報は、特定周波数における参照信号に対する測定タイミングを指定する情報であってもよい。設定情報は、共通信号（例えば、ＳＩＢ、ＰＤＣＣＨ）によって送信されてもよいし、個別信号（例えば、ＰＤＳＣＨ）によって送信されてもよい。ＵＥ１００は、設定情報に基づいて、参照信号の送信予定タイミングで特定周波数における参照信号に対する測定を行う。
【００９８】
さらに、ＵＥ１００は、参照信号の送信予定タイミングと異なるタイミングで、特定周波数における干渉電力の測定（ＣＣＡの実行）を行う。異なるタイミングは、送信予定タイミングの前及び後のタイミングの少なくとも一方である。異なるタイミングは、参照信号に対する測定を行うタイミングよりも所定時間前のタイミング及び／又は所定時間後のタイミングであってもよい。異なるタイミングは、ｅＮＢ２００が干渉電力を測定するタイミングと同じタイミングであってもよい。本実施形態において、ＵＥ１００は、送信予定タイミングの前及び後のタイミングで干渉電力の測定を行う（図８（Ｂ）参照）。
【００９９】
図８（Ｂ）に示すように、ｔ１からｔ３において、ＷＴ４００−１は、特定周波数において無線信号の送信を行っている。ｔ４からｔ６において、ＷＴ４００−２は、特定周波数において無線信号の送信を行っている。
【０１００】
ｔ１において、ｅＮＢ２００及びＵＥ１００は、干渉電力の測定を行う。ｅＮＢ２００は、ＷＴ４００−１から遠いため、ｅＮＢ２００における干渉電力が閾値未満である。その結果、ｅＮＢ２００は、ｔ２において参照信号を送信すると決定する。
【０１０１】
ｔ２において、ｅＮＢ２００は、特定周波数において参照信号を送信する。ＵＥ１００は、特定周波数における測定を行う。
【０１０２】
ｔ３において、ＵＥ１００は、干渉電力の測定を行う。
【０１０３】
ｔ４において、ｅＮＢ２００及びＵＥ１００は、干渉電力の測定を行う。ｅＮＢ２００は、ＷＴ４００−２から近いため、ｅＮＢ２００における干渉電力が閾値以上である。その結果、ｅＮＢ２００は、ｔ５において参照信号を送信しないと決定する。
【０１０４】
ｔ５において、ｅＮＢ２００が参照信号を送信しないが、ＵＥ１００は、特定周波数における測定を行う。
【０１０５】
ｔ６において、特定周波数における測定を行う。
【０１０６】
ｔ７からｔ９において、ｅＮＢ２００及びＵＥ１００は、ｔ１からｔ３と同様に動作する。
【０１０７】
図８（Ｂ）におけるＣＣＡ結果は、ＵＥ１００における測定結果（測定値：受信レベル）を示す。
【０１０８】
次に、ＵＥ１００は、異なるタイミングでの測定結果（具体的には、ｔ１、ｔ３、ｔ４、ｔ６、ｔ７、ｔ９）と送信予定タイミングでの測定結果（具体的には、ｔ２、ｔ５、ｔ８）とに基づいて、参照信号が送信されていないタイミングを特定する。
【０１０９】
ＵＥ１００は、ｔ２における受信レベルがｔ１（ｔ３）における受信レベルよりも所定値以上高いため（すなわち、ｔ２の受信レベル−ｔ１（ｔ３）の受信レベル＞所定値であるため）、ｅＮＢ２００が参照信号を送信したと推測する。従って、ＵＥ１００は、ｔ２のタイミングを参照信号が送信されたタイミングとして特定する。
【０１１０】
また、ＵＥ１００は、ｔ５における受信レベルがｔ４（ｔ６）における受信レベルよりも所定値以上高くないため（すなわち、ｔ５の受信レベル−ｔ４（ｔ６）の受信レベル＜所定値であるため）、ｅＮＢ２００が参照信号を送信していないと推測する。従って、ＵＥ１００は、ｔ５のタイミングを参照信号が送信されていないタイミングとして特定する。
【０１１１】
また、ＵＥ１００は、ｔ８における受信レベルがｔ７（ｔ９）における受信レベルよりも所定値以上高いため（すなわち、ｔ８の受信レベル−ｔ７（ｔ９）の受信レベル＞所定値であるため）、ｅＮＢ２００が参照信号を送信したと推測する。従って、ＵＥ１００は、ｔ８のタイミングを参照信号が送信されたタイミングとして特定する。
【０１１２】
以上より、ＵＥ１００は、ｔ５における測定結果を報告対象から除外し、ｔ２及びｔ８における測定結果をｅＮＢ２００に報告する。従って、ｅＮＢ２００は、測定結果に基づいて、アンライセンスド帯域における通信に関して適切に判定できる。
【０１１３】
［第４実施形態］
（第４実施形態に係る動作）
次に、第４実施形態に係る動作について、図９を用いて説明する。図９は、第４実施形態に係る動作を説明するための図である。上述した各実施形態と同様の部分は、説明を適宜省略する。
【０１１４】
第４実施形態では、ｅＮＢ２００が、参照信号の送信記録に基づいて、測定結果を除外する。
【０１１５】
図９における動作環境は、第２実施形態（図７）における動作環境と同様である。
【０１１６】
ステップＳ３０１からＳ３０８は、ステップＳ２０１からＳ２０８に対応する。
【０１１７】
ステップＳ３０９において、ＵＥ１００は、測定結果をＰＣｅｌｌに送信する。ここでの測定結果は、第１の測定結果及び第３の測定結果だけでなく、第２の測定結果も含む。
【０１１８】
ここで、本実施形態では、ｅＮＢ２００は、第２実施形態と同様に、参照信号が送信されたタイミング及び参照信号が送信されなかったタイミングの少なくとも一方を記憶する。具体的には、ｅＮＢ２００は、参照信号が送信されなかったタイミングに関する送信記録を保持する。具体的には、ｅＮＢ２００は、参照信号が送信されたタイミング及び参照信号が送信されなかったタイミングの少なくとも一方を送信記録に残す。本実施形態では、ｅＮＢ２００は、ステップＳ３０４の測定結果によって参照信号が送信されなかったタイミングを送信記録に残す。
【０１１９】
ステップＳ３１０において、ＰＣｅｌｌ（ｅＮＢ２００）は、ＵＥ１００から報告された測定結果から、参照信号が送信されていないタイミングに対応する測定結果を除外する。本実施形態では、ｅＮＢ２００は、ステップＳ３０４の後の参照信号の送信が予定されたタイミングに対応する第２の測定結果を除外する。これにより、ｅＮＢ２００は、適切な測定結果を取得できる。
【０１２０】
（第４実施形態の変更例）
次に、第４実施形態の変更例に係る動作について、図１０を用いて説明する。図１０は、第４実施形態の変更例に係る動作を説明するための図である。上述した各実施形態と同様の部分は、説明を適宜省略する。
【０１２１】
第４実施形態の変更例では、ＵＥ１００は、参照信号に対する測定結果だけでなく、干渉電力の測定結果をｅＮＢ２００に報告する。ｅＮＢ２００は、干渉電力の測定結果に基づいて、ＵＥ１００へ送信するデータのＭＣＳ（送信レート、エラー耐性）を決定する。
【０１２２】
図１０（Ａ）に示すように、ＵＥ１００−１の近傍には、第１の無線通信装置（ＷＴ４００−１）が存在し、ＵＥ１００−２及びｅＮＢ２００の近傍には、第２の無線通信装置（ＷＴ４００−２）が存在する。ＷＴ４００−１及びＷＴ４００−２は、アンライセンスド帯域における特定周波数において無線信号を送信する（図１０（Ｂ）参照）。
【０１２３】
また、ｅＮＢ２００は、参照信号の送信予定タイミングに関する第１の設定情報を送信する。各ＵＥ１００（ＵＥ１００−１及びＵＥ１００−２）は、参照信号の送信予定タイミングに関する第１の設定情報を受信する。各ＵＥ１００は、第１の設定情報に基づいて、参照信号の送信予定タイミングで特定周波数における参照信号に対する測定を行う。
【０１２４】
さらに、ｅＮＢ２００は、各ＵＥ１００に対して干渉電力の測定を実行させるための第２の設定情報を各ＵＥ１００に送信する。この第２の設定情報は、アンライセンスド帯域内の特定周波数における干渉電力の測定をｅＮＢ２００と同じタイミングでＵＥ１００に実行させるための情報を含む。各ＵＥ１００は、第２の設定情報に基づいて、ｅＮＢ２００と同じタイミングで干渉電力の測定を行う。なお、各ＵＥ１００は、第２の設定情報を受信しない場合であっても、第１の設定情報に基づいて、ｅＮＢ２００が干渉電力を測定するタイミングを推測してもよい。
【０１２５】
図１０（Ｂ）に示すように、ｔ１において、ＷＴ４００−１は、特定周波数において無線信号の送信を行っている。ｔ２において、ＷＴ４００−２は、特定周波数において無線信号の送信を行っている。
【０１２６】
ｔ１において、ｅＮＢ２００及び各ＵＥ１００は、同じタイミングで干渉電力の測定を行う。ｅＮＢ２００は、ＷＴ４００−１から遠いため、ｅＮＢ２００における干渉電力が閾値未満である。その結果、ｅＮＢ２００は、参照信号を送信すると決定する。
【０１２７】
次に、ｅＮＢ２００は、特定周波数において参照信号を送信する。各ＵＥ１００は、特定周波数における測定を行う。ＵＥ１００−１の測定結果は、ＷＴ４００−１からの干渉を受けた測定結果である。
【０１２８】
ｔ２において、ｅＮＢ２００及びＵＥ１００は、同じタイミングで干渉電力の測定を行う。ｅＮＢ２００は、ＷＴ４００−２から近いため、ｅＮＢ２００における干渉電力が閾値以上である。その結果、ｅＮＢ２００は、参照信号を送信しないと決定する。ｅＮＢ２００が参照信号を送信しないが、各ＵＥ１００は、特定周波数における測定を行う。ＵＥ１００−２の測定結果は、ＷＴ４００−２からの干渉を受けた測定結果である。
【０１２９】
ｔ３において、各ＵＥ１００は、参照信号に対する測定結果（ＤＲＳ結果）だけでなく、干渉電力の測定結果（ＣＣＡ結果）もｅＮＢ２００に報告する。ｅＮＢ２００は、第１の測定結果及び第２の測定結果を受信（取得）する。
【０１３０】
ｔ４において、ｅＮＢ２００は、干渉電力の測定を行う。ｅＮＢ２００における干渉電力が閾値未満である。その結果、ｅＮＢ２００は、ｔ１と同様にｅＮＢ２００において干渉を受けていないと判断する。ｅＮＢ２００は、ＵＥ１００へデータを送信すると決定する。
【０１３１】
ｅＮＢ２００は、ＵＥ１００からのＤＲＳ結果が第１閾値よりも大きい場合、当該ＤＲＳ結果の送信元のＵＥ１００の近くに干渉源が存在すると判断する。その結果、ｅＮＢ２００は、当該ＵＥ１００への送信データのエラー耐性を高くする。第１閾値は、ｅＮＢ２００が干渉の検出に用いる閾値であってもよいし、ｅＮＢ２００が送信した参照信号（ＤＲＳ）の送信電力に対応する閾値であってもよい。
【０１３２】
一方、ｅＮＢ２００は、ＵＥ１００からのＣＣＡ結果が第２閾値（例えば、第１閾値よりも低い閾値）よりも小さい場合、当該第１の測定結果の送信元のＵＥ１００の近くに干渉源が存在しないと判断する。その結果、ｅＮＢ２００は、当該ＵＥ１００への送信データのエラー耐性を低くする。
【０１３３】
さらに、ｅＮＢ２００は、データを送信する直前の自局におけるＣＣＡ結果と、自局における過去のＣＣＡ結果（例えば、参照信号を送信する直前のＣＣＡ結果）とを比較して、送信データのエラー耐性を決定することができる。ｅＮＢ２００は、例えば、以下のようにエラー耐性（ＭＣＳ）を決定する。
【０１３４】
ｅＮＢ２００は、ＵＥ１００−１からのＣＣＡ結果に基づいて、ｔ１においてＵＥ１００−１が干渉を受けていたと判断する。また、ｅＮＢ２００は、ｔ１において、ｅＮＢ２００は干渉を受けていないにもかかわらず、ＵＥ１００−１が干渉を受けている。このため、ｅＮＢ２００は、ｔ４において干渉を受けていないが、ＵＥ１００−１がｔ４において干渉を受ける可能性があると判断する。そこで、ｅＮＢ２００は、ＵＥ１００−１からのｔ１におけるＤＲＳ結果に基づいて、ＵＥ１００−１への送信データに対するＭＣＳを、エラー耐性の高いＭＣＳに決定する。
【０１３５】
或いは、ｅＮＢ２００は、ＵＥ１００−１が干渉を受けていないＣＣＡ結果（又はＤＲＳ結果）に基づいて、エラー耐性を決定する。ここで、ｅＮＢ２００は、ｔ２において、参照信号（ＤＲＳ）を送信していない。このため、ｅＮＢ２００は、通常、ＵＥ１００−１からのｔ２におけるＤＲＳ結果に基づいてエラー耐性（ＭＣＳ）を決定しない。一方で、ＵＥ１００−１からのＣＣＡ結果から、ｅＮＢ２００が干渉を受けている時にＵＥ１００−１は干渉を受けていないことを知る。
【０１３６】
一方、ｅＮＢ２００は、ｔ１におけるＣＣＡ結果から、ｔ１において、ｅＮＢ２００と同様に、ＵＥ１００−２が干渉を受けていないと判断する。このため、ｅＮＢ２００は、ｔ４において干渉を受けていないので、ｔ４においてＵＥ１００−２が干渉を受ける可能性が低いと判断する。これにより、ｅＮＢ２００は、ｔ１におけるＤＲＳ結果に基づいて、ＵＥ１００−２への送信データに対するＭＣＳ（を、送信レートの高いＭＣＳ（エラー耐性の低いＭＣＳ）に決定する。
【０１３７】
このケースにおいて、ｅＮＢ２００は、ｔ４において、ＵＥ１００−１及びＵＥ１００−２の一方にのみデータを送信する場合には、例えば、干渉を受ける可能性が低いＵＥ１００−２にデータを（優先的に）送信すると決定できる。
【０１３８】
なお、仮に、ｅＮＢ２００において、ｔ４におけるＣＣＡ結果が、ｔ１におけるＣＣＡ結果よりも大きく、且つ、ｔ２におけるＣＣＡ結果よりも小さい（ｔ２結果＞ｔ４結果＞ｔ１結果）というケースを想定する。この場合、ｅＮＢ２００は、ＵＥ１００−２からのＣＣＡ結果に基づいて、ＵＥ１００−２がｅＮＢ２００と同様に干渉を受けていると判断する。従って、ｅＮＢ２００は、ｔ４におけるｅＮＢ２００のＣＣＡ結果に基づいて、ｔ４においてＵＥ１００−２が干渉を受けている可能性が高いと判断する。ｅＮＢ２００は、ｔ４におけるＵＥ１００−２への送信データに適用するＭＣＳをエラー耐性の高いＭＣＳに決定する。
【０１３９】
一方、ｅＮＢ２００は、ＵＥ１００−１からのｔ２におけるＣＣＡ結果に基づいて、ＵＥ１００−１がｅＮＢ２００と同様に干渉を受けていないと判断する。従って、ｅＮＢ２００は、ｔ４におけるｅＮＢ２００のＣＣＡ結果に基づいて、ｔ４においてＵＥ１００−１が干渉を受ける可能性が低いと判断する。ｅＮＢ２００は、ＵＥ１００−２への送信データに適用するＭＣＳを伝送レートが高いＭＣＳに決定する。
【０１４０】
このケースにおいて、ｅＮＢ２００は、ｔ４において、ＵＥ１００−１及びＵＥ１００−２の一方にのみデータを送信する場合には、例えば、干渉を受ける可能性が低いＵＥ１００−１にデータを（優先的に）送信すると決定できる。
【０１４１】
このように、ｅＮＢ２００は、ｅＮＢ２００におけるＣＣＡ結果（特に、ＵＥ１００へのデータ送信の直前のＣＣＡ結果）と、各ＵＥ１００のＤＲＳ結果及びＣＣＡ結果とに基づいて、データの送信先となるＵＥ１００及びＭＣＳを決定できる。
【０１４２】
［第５実施形態］
次に、第５実施形態に係る動作について、図１１を用いて説明する。図１１は、第５実施形態に係る動作を説明するための図である。上述した各実施形態と同様の部分は、説明を適宜省略する。
【０１４３】
第５実施形態では、ＵＥ１００は、参照信号を特定するための特定メッセージ（特定情報）が受信した所定の無線信号から検出されるか否かに基づいて、参照信号が送信されていないタイミングを特定する。すなわち、ＵＥ１００は、特定メッセージを検出した所定の無線信号を参照信号として特定する。
【０１４４】
図１１に示すように、ｅＮＢ２００から送信される参照信号（ＤＲＳ）には、ｅＮＢ２００との同期に用いられる同期情報（ｓｙｎｃ）が格納される第１フィールドと、参照信号（ＲＳ）に関する情報が格納される第２フィールドと、ショート制御メッセージが格納される第３フィールドと、が設けられている。従って、ＤＲＳは、同期信号（ｓｙｎｃ）と参照信号（ＲＳ）とショート制御メッセージ（ＳＣＭ：Ｓｈｏｒｔ  Ｃｏｎｔｒｏｌ  Ｍｅｓｓｅｇｅ）とを含む。
【０１４５】
ショート制御メッセージは、参照信号（ＤＲＳ）を特定するための特定メッセージを含む。従って、参照信号には、ｅＮＢ２００との同期に用いられる同期情報が格納されるフィールド（第１フィールド）とは異なるフィールド（第３フィールド）に特定メッセージが格納される。特定メッセージには、誤り検出符号が付与されていてもよい。誤り検出符号は、例えば、ＣＲＣ（巡回冗長検査）に用いられるＣＲＣ符号である。或いは、誤り検出符号は、チェックサムであってもよい。
【０１４６】
ＵＥ１００は、以下のいずれかの方法により、受信した無線信号から特定メッセージの検出を試みる。ＵＥ１００は、受信した無線信号から特定メッセージを検出した場合、当該無線信号を参照信号（ＤＲＳ）として特定する。すなわち、ＵＥ１００は、受信した無線信号に基づく測定結果を報告対象とする。一方、ＵＥ１００は、受信した無線信号から特定メッセージを検出できない場合、当該無線信号の測定タイミングを参照信号送信されていないタイミングとして特定する。すなわち、ＵＥ１００は、当該無線信号に基づく測定結果を報告対象から除外する。
【０１４７】
なお、ＵＥ１００は、測定結果を報告対象から除外した場合、測定結果をｅＮＢ２００に報告しない。しかしながら、ＵＥ１００は、参照信号を受信（検出）できなかった旨の報告をｅＮＢ２００に通知してもよい。ＵＥ１００は、単独の参照信号（ＤＲＳ）に対する測定（及び報告）を、ｅＮＢ２００から明示的又は暗示的に指示されていた場合に、参照信号を受信できなかった旨の報告をｅＮＢ２００に通知してもよい。また、ＵＥ１００は、複数の参照信号（ＤＲＳ）に基づいて算出された測定結果の平均値（移動平均値）をｅＮＢ２００に報告する場合、報告対象から除外する測定結果を移動平均の処理の対象にしなくてもよい。ＵＥ１００は、測定結果に対して移動平均以外の処理を行う場合も、報告対象から除外する測定結果を当該処理の対象にしなくてもよい。また、ＵＥ１００は、複数の参照信号（ＤＲＳ）に基づいて算出された測定結果の平均値をｅＮＢ２００に報告することをｅＮＢ２００から指示されていた場合に、報告対象から除外する測定結果を移動平均の処理の対象にしなくてもよい。或いは、ＵＥ１００は、ｅＮＢ２００からの指示ではなく自発的にｅＮＢ２００に報告する場合に、報告対象から除外する測定結果を移動平均の処理の対象にしなくてもよい。
【０１４８】
或いは、ＵＥ１００は、受信した無線信号が参照信号として特定できない場合、当該無線信号の受信強度（ＲＳＲＰ）及び／又は受信品質（ＲＳＲＱ）を測定又は算出しなくてもよい。或いは、ＵＥ１００は、受信した無線信号が参照信号として特定できない場合、当該無線信号の受信強度（ＲＳＲＰ）及び／又は受信品質（ＲＳＲＱ）を測定又は算出した後、当該無線信号に対する測定結果（又は測定結果に対応する算出結果）を記憶しなくてもよい。すなわち、ＵＥ１００は、当該無線信号に対する測定結果をログに残さなくてもよい。或いは、ＵＥ１００は、受信した無線信号が参照信号として特定できない場合、当該無線信号に対する測定結果を記録した後、当該測定結果を報告しなくてもよい。なお、このようなＵＥ１００の動作は、第５実施形態だけでなく、他の実施形態において同様に実行されてもよい。
【０１４９】
第１に、ＵＥ１００は、ｅＮＢ２００に関連する識別子に基づく特定メッセージを受信した無線信号から検出した場合に、受信した無線信号を参照信号として特定する。
【０１５０】
まず、ｅＮＢ２００は、ｅＮＢ２００に関連する識別子に基づく特定メッセージをショート制御メッセージに含める。
【０１５１】
ｅＮＢ２００に関連する識別子は、アンライセンスド帯域におけるセルであるアンライセンスドセルを示すセル識別子（ＰＣＩ：Ｐｈｙｓｉｃａｌ  Ｃｅｌｌ  Ｉｄｅｎｔｉｆｉｅｒ）である。或いは、ｅＮＢ２００が属するＰＬＭＮ（Ｐｕｂｌｉｃ  Ｌａｎｄ  Ｍｏｂｉｌｅ  Ｎｅｔｗｏｒｋ）を示す識別子（ＰＬＭＮ  ＩＤ）であってもよい。或いは、ライセンスドセルを示すセル識別子であってもよい。
【０１５２】
特定メッセージは、ｅＮＢ２００に関連する識別子に関連付けられたメッセージであってもよいし、ｅＮＢ２００に関連する識別子に基づいて算出されるメッセージであってもよい。例えば、特定メッセージ（特定情報）は、以下のいずれかのメッセージである。
【０１５３】
・Ｎビット（Ｎ：正の整数：例えば、９ビット）のＰＣＩそのもの
・Ｎビット（例えば、９ビット）のＰＣＩにＰＬＭＮ  ＩＤを連結したもの（ＰＣＩ＋ＰＬＭＮ  ＩＤ）
・Ｎビット（例えば、９ビット）のＰＣＩにｅＮＢ２００から通知された特定のビット列を連結したもの（ＰＣＩ＋特定ビット列）
・ＰＬＭＮ  ＩＤそのもの
・ＰＬＭＮ  ＩＤにｅＮＢ２００から通知された特定のビット列を連結したもの（ＰＬＭＮ  ＩＤ＋特定ビット列）
・上位メッセージに所定のスクランブルを掛けたもの
【０１５４】
ｅＮＢ２００は、例えば、アンライセンスド帯域におけるセルサーチをＵＥ１００に指示する際に、ｅＮＢ２００に関連する識別子をライセンスド帯域においてＵＥ１００に通知できる。その際に、ｅＮＢ２００は、特定のビット列をＵＥ１００に通知してもよい。或いは、ｅＮＢ２００は、別のタイミングで、ｅＮＢ２００に関連する識別子を通知してもよい。ｅＮＢ２００に関連する識別子は、共通信号（例えば、ＳＩＢ、ＰＤＣＣＨ）によってＵＥ１００に通知されてもよいし、個別信号（例えば、ＰＤＳＣＨ）によってＵＥ１００に通知されてもよい。或いは、ｅＮＢ２００に関連する識別子は、参照信号に含まれる同期信号によってＵＥ１００に通知されてもよい。なお、特定のビット列も同様に通知できる。
【０１５５】
その後、ＵＥ１００は、例えば、参照信号の送信が予定されたタイミングで、無線信号を受信する。ＵＥ１００は、受信した無線信号にショート制御メッセージが含まれる場合、ショート制御メッセージに含まれるメッセージが、ｅＮＢ２００から通知されたｅＮＢ２００に関連する識別子に基づく特定メッセージであるか否かを判定する。例えば、ＵＥ１００は、参照信号に含まれるｅＮＢ２００に関連する識別子（例えば、ＰＣＩ）に基づいて、当該参照信号内のショート制御メッセージに含まれるメッセージが特定メッセージであるか否かを判定する。
【０１５６】
ＵＥ１００は、当該メッセージが特定メッセージである場合、受信した無線信号から特定メッセージが検出されたため、受信した無線信号を参照信号として特定する。すなわち、ＵＥ１００は、受信した無線信号に基づいて測定報告を作成する。一方、ＵＥ１００は、当該メッセージが特定メッセージでない場合、受信した無線信号に基づく測定結果を報告対象から除外する。すなわち、ＵＥ１００は、受信した無線信号に基づいて測定報告を作成しない。
【０１５７】
なお、参照信号に含まれる特定メッセージは、予め規定されており、ＵＥ１００は、規定に従って、ショート制御メッセージに含まれるメッセージが、ｅＮＢ２００に関連する識別子に基づく特定メッセージであるか否かを判定することができる。参照信号に含まれる特定メッセージが一意に規定されていない場合は、以下の方法を用いることが可能である。
【０１５８】
第２に、ＵＥ１００は、ｅＮＢ２００から受信したメッセージに対応する特定メッセージを受信した無線信号から検出した場合に、受信した無線信号を参照信号として特定する。
【０１５９】
ｅＮＢ２００は、参照信号に含める特定メッセージを別途ＵＥ１００に通知する。ｅＮＢ２００は、ライセンスド帯域においてＵＥ１００に当該特定メッセージをＵＥ１００に通知することが好ましい。当該特定メッセージは、共通信号（例えば、ＳＩＢ、ＰＤＣＣＨ）によってＵＥ１００に通知されてもよいし、個別信号（例えば、ＰＤＳＣＨ）によってＵＥ１００に通知されてもよい。或いは、当該特定メッセージは、参照信号に含まれる同期信号によってＵＥ１００に通知されてもよい。
【０１６０】
なお、ｅＮＢ２００は、任意のビット列を特定メッセージにしてもよい。或いは、ｅＮＢ２００に関連する識別子に関連付けられたメッセージ（ビット列）を特定メッセージにしてもよい。
【０１６１】
ＵＥ１００は、例えば、参照信号の送信が予定されたタイミングで、無線信号を受信する。ＵＥ１００は、受信した無線信号にショート制御メッセージが含まれる場合、ショート制御メッセージに含まれるメッセージが、ｅＮＢ２００から通知された特定メッセージに対応するメッセージであるか否かを判定する。ＵＥ１００は、当該メッセージが特定メッセージである場合、受信した無線信号を参照信号として特定する。一方、ＵＥ１００は、当該メッセージが特定メッセージでない場合、受信した無線信号に基づいて測定報告を作成しない。
【０１６２】
なお、ＵＥ１００は、受信した無線信号に対する測定結果を保持しておいて、ｅＮＢ２００から参照信号に含める特定メッセージが通知された場合に、測定結果を報告対象から除外してもよい。
【０１６３】
第３に、ＵＥ１００は、参照信号（具体的には、ショート制御メッセージ）に含まれるメッセージから誤りが検出されない場合に、受信した無線信号を参照信号として特定する。なお、以下において、誤り検出符号がＣＲＣ符号であるケースを説明するが、他の誤り検出符号が用いられてもよい。
【０１６４】
ｅＮＢ２００は、誤り検出符号であるＣＲＣ符号を付与した特定メッセージをショート制御メッセージに含める。ｅＮＢ２００は、当該ショート制御メッセージを含む参照信号を送信する。
【０１６５】
ＵＥ１００は、例えば、参照信号の送信が予定されたタイミングで、無線信号を受信する。ＵＥ１００は、受信した無線信号にショート制御メッセージが含まれる場合、ショート制御メッセージに含まれるメッセージに対して、ＣＲＣ（巡回冗長検査）を行う。ＵＥ１００は、例えば、予め規定されたＣＲＣのビット数及び多項式（ｐｏｌｙｎｏｍｉａｌ）を用いてＣＲＣを行う。ＵＥ１００は、ＣＲＣの結果、当該メッセージから誤りが検出されない場合、当該メッセージを特定メッセージとして受信した無線信号から検出する。ここで、上述の方法により、誤りが検出されなかったメッセージが、特定メッセージ（具体的には、ｅＮＢ２００に関連する識別子に基づく特定メッセージ又はｅＮＢ２００から通知された特定メッセージ）であるか否かを判定してもよい。一方、ＵＥ１００は、ＣＲＣの結果、当該メッセージから誤りが検出された場合は、受信した無線信号は参照信号でないと判定する。或いは、ＵＥ１００は、受信した無線信号は有効な参照信号でないと判定する。すなわち、ＵＥ１００は、当該メッセージから誤りが検出された場合は、受信した無線信号に基づいて測定報告を作成しない。
【０１６６】
このように、ＵＥ１００は、受信した無線信号から特定メッセージが検出されるか否かに基づいて、参照信号が送信されていないタイミングを特定できるため、ＵＥ１００は、参照信号に対する適切な測定（ＲＲＭ  ｍｅａｓｕｒｅｍｅｎｔ）を実施し、適切な測定結果を取得することができる。
【０１６７】
なお、ＵＥ１００は、受信した無線信号に対して測定又は測定報告を作成した後、上述の方法により、測定結果を報告対象から除外するか否かを判定してもよい。
【０１６８】
なお、ｅＮＢ２００との同期に用いられる同期情報が格納されるフィールド（第１フィールド）とは異なるフィールド（第３フィールド）に特定メッセージが格納可能である。ここで、第３フィールドに格納される特定メッセージは、既存の同期情報と異なり、誤り検出符号を付与することができる。すなわち、特定メッセージ（例えば、ＰＣＩ）は、誤り検出可能なメッセージであるため、ＵＥ１００は、特定メッセージを高い信頼性で検出可能である。その結果、ＵＥ１００は、受信した無線信号が参照信号か否かを高い信頼性で判定可能である。従って、ＵＥ１００（及びｅＮＢ２００）は、より適切な測定結果を取得できる。
【０１６９】
［第６実施形態］
次に、第６実施形態に係る動作について説明する。上述した各実施形態と同様の部分は、説明を適宜省略する。
【０１７０】
第６実施形態では、ｅＮＢ２００は、第５実施形態と同様に、特定メッセージを含む参照信号を送信する。しかしながら、ＵＥ１００が測定結果を除外せずに、ｅＮＢ２００が測定結果を除外する。
【０１７１】
第６実施形態では、ｅＮＢ２００は、第５実施形態で説明した特定メッセージを含む参照信号を送信する。なお、特定メッセージは、同期情報が格納されるフィールドとは異なる第３フィールドに格納される。上述した第５実施形態と同様に、特定メッセージには、誤り検出符号が付与されてもよい。すなわち、第３フィールドに格納されるメッセージは、誤り検出符号を付与することが可能である。
【０１７２】
また、ｅＮＢ２００は、参照信号に含める特定メッセージに関する情報（具体的には、ｅＮＢ２００に関連する識別子、特定メッセージそのものなど）をＵＥ１００に通知しなくてよい。
【０１７３】
一方、ＵＥ１００は、受信した無線信号からメッセージの検出を試みる。ＵＥ１００は、参照信号内のショード制御メッセージに含まれるメッセージを検出できた場合、検出したメッセージが含まれる無線信号に対する測定結果をｅＮＢ２００に報告する。なお、ＵＥ１００は、単一の測定結果を報告してもよいし、複数の測定結果を纏めて報告してもよい。
【０１７４】
ここで、第５実施形態と異なり、検出されたメッセージが特定メッセージであるか否かにかかわらず、ＵＥ１００は、検出したメッセージが含まれる無線信号に対する測定結果をｅＮＢ２００に報告する。すなわち、ＵＥ１００は、検出したメッセージが特定メッセージか否かを判定することなく、測定結果をｅＮＢ２００に報告できる。従って、検出したメッセージは、例えば、ＵＥ１００が在圏するセルを管理するｅＮＢ２００に関連する識別子に基づくメッセージではなく、他のｅＮＢ２００に関連する識別子に基づくメッセージである可能性がある。
【０１７５】
ＵＥ１００は、検出したメッセージと測定結果とを関連付けて記憶する。ＵＥ１００は、検出したメッセージに関連付けられた測定結果をｅＮＢ２００に報告する。ｅＮＢ２００は、ＵＥ１００が検出したメッセージ（以下、所定メッセージ）に関連付けられた測定結果を受信する。
【０１７６】
ｅＮＢ２００は、測定結果に関連付けられた所定メッセージが参照信号に含めた特定メッセージと一致する場合、当該メッセージに関連付けられた測定結果を保持する。ｅＮＢ２００は、当該測定結果に基づいて、アンライセンスドセルと通信（接続）可能か否かを判定したり、アンライセンスドセルおける通信品質を算出したりする。
【０１７７】
一方、ｅＮＢ２００は、測定結果に関連付けられた所定メッセージが参照信号に含めた特定メッセージと一致しない場合、当該測定結果は、ｅＮＢ２００が送信した参照信号に対する測定結果でないと判定する。或いは、ｅＮＢ２００は、アンライセンスド帯域における参照信号に対する測定結果が所定メッセージと関連づけられていない場合も、当該測定結果は、ｅＮＢ２００が送信した参照信号に対する測定結果でないと判定する。この場合、ｅＮＢ２００は、ＵＥ１００からの測定結果を利用せずに除外する。これにより、ｅＮＢ２００は、適切な測定結果を取得することができる。
【０１７８】
［その他の実施形態］
上述した各実施形態では、ＵＥ１００が、測定結果をｅＮＢ２００に報告するケースを説明したが、これに限られない。ＵＥ１００は、ｅＮＢ２００から参照信号が送信されていないタイミングに対応する測定結果が除外された有効性の高い測定結果に基づいて、所定の判定を行ってもよい。例えば、ＵＥ１００は、有効性の高い測定結果に基づいて、アンライセンスドセルの通信環境に関する判定を行うことができる。
【０１７９】
なお、上述した各実施形態において、同期信号（上述の同期情報が格納される第１フィールド）は、特定メッセージを含まなくてもよいことは勿論である。
【０１８０】
上述した実施形態では、移動通信システムの一例としてＬＴＥシステムを説明したが、ＬＴＥシステムに限定されるものではなく、ＬＴＥシステム以外のシステムに本出願の開示を適用してもよい。
【０１８１】
なお、米国仮出願第６２／１１４１５４号（２０１５年２月１０日出願）の全内容が、参照により、本願明細書に組み込まれている。
【図１】
2016129616.tif 000003
【図２】
2016129616.tif 000004
【図３】
2016129616.tif 000005
【図４】
2016129616.tif 000006
【図５】
2016129616.tif 000007
【図６】
2016129616.tif 000008
【図７】
2016129616.tif 000009
【図８】
2016129616.tif 000010
【図９】
2016129616.tif 000011
【図１０】
2016129616.tif 000012
【図１１】
2016129616.tif 000013
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
ユーザ端末であって、
アンライセンスド帯域のセカンダリセルにおける無線信号に基づいて測定を実行するよう構成される制御部と、
前記無線信号に基づく測定結果の報告を基地局へ送信するよう構成される送信部と、を備え、
前記制御部は、前記セカンダリセルにおける所定の無線信号から、所定のスクランブルが掛けられた特定情報が検出されるか否かを判定するよう構成され、
前記所定の無線信号から前記特定情報が検出されないことに応じて、前記送信部は、前記所定の無線信号に基づく所定の測定結果を含まない測定結果の報告を前記基地局へ送信するよう構成されることを特徴とするユーザ端末。
【請求項２】
前記特定情報は、ＣＲＣ（Ｃｙｃｌｉｃ  Ｒｅｄｕｎｄａｎｃｙ  Ｃｈｅｃｋ）符号が付与された情報である請求項１に記載のユーザ端末。
【請求項３】
前記所定の無線信号から前記特定情報が検出されたことに応じて、前記送信部は、前記所定の測定結果を含む測定結果の報告を前記基地局へ送信するよう構成される請求項１に記載のユーザ端末。
【請求項４】
ユーザ端末を制御するプロセッサであって、
アンライセンスド帯域のセカンダリセルにおける無線信号に基づいて測定を実行する処理と、
前記無線信号に基づく測定結果の報告を基地局へ送信する処理と、を実行し、
前記プロセッサは、
前記セカンダリセルにおける所定の無線信号から、所定のスクランブルが掛けられた特定情報が検出されるか否かを判定する処理と、
前記所定の無線信号から前記特定情報が検出されないことに応じて、前記所定の無線信号に基づく所定の測定結果を含まない測定結果の報告を前記基地局へ送信する処理と、をさらに実行することを特徴とするプロセッサ。
【請求項５】
移動通信システムであって、
基地局と、
ユーザ端末と、を備え、
前記基地局は、アンライセンスド帯域のセカンダリセルにおける無線信号を送信し、
前記ユーザ端末は、前記セカンダリセルにおける無線信号に基づいて測定を実行し、
前記ユーザ端末は、前記無線信号に基づく測定結果の報告を前記基地局へ送信し、
前記基地局は、前記測定結果の報告を前記ユーザ端末から受信し、
前記ユーザ端末は、前記セカンダリセルにおける所定の無線信号から、所定のスクランブルが掛けられた特定情報が検出されるか否かを判定し、
前記ユーザ端末は、前記所定の無線信号から前記特定情報が検出されないことに応じて、前記所定の無線信号に基づく所定の測定結果を含まない測定結果の報告を前記基地局へ送信することを特徴とする移動通信システム。
【国際調査報告】
2016129616.tif 000014
2016129616.tif 000015
2016129616.tif 000016